(57)【要約】【課題】シンプルな構造ながら、餌魚の取付け保持が確実で、状況に応じて餌魚の交換や水中深度の変更が容易・迅速にでき、餌魚が損傷しないと共にあたかも生きた魚の様に動き、魚の食付きが良いトローリング用餌魚保持仕掛けの提供。【解決手段】本体部１と揺動兼長さ調節部２と鉤状釣針３とを備え、本体部は、錘りを兼ねた厚肉金属棒製とし、前部に餌魚５の頭部を内側へ係合可能な湾曲状部４を設け、該湾曲部前部に導糸６を斜め前上方へ向ける導糸連結部７を、また上部に餌魚５の頭部へ串刺し可能な餌魚保持用くし８を各々有して、後端に長さ調節部との連結用部９を設け、長さ調節部は、前後方向へ長さの異なるものを複数本用意し、それらの選択的な使用と水平状の揺動を可能に、該長さ調節部の前部を上記本体部の連結用部９へ縦軸１０で着脱可能に軸支し、後端部に釣針３の連結用部１１を設ける。【選択図】                図１
2007000084.tif 000002
【特許請求の範囲】
【請求項１】
前部の本体部１と、揺動兼長さ調節部２と、後部の鉤状釣針３とを備えたものであって、
上記本体部１は、錘りを兼ねた厚肉金属棒製とし、前部に餌魚５の頭部を内側へ係合可能な湾曲部４を設け、該湾曲部４前部で高さ方向の中心よりも少し上方位置に、斜め前上方へ向けた導糸連結部７を設け、また上部に餌魚５の頭部へ串刺し可能な餌魚保持用くし８を有すると共に、ほぼ直線状の後端部に長さ調節部２との連結用部９を設け、
上記揺動兼長さ調節部２は、餌魚５の大小や種類等に対応可能に前後方向へ長さの異なるものを複数本用意し、それらの選択的な使用と水平状の揺動を可能に、該調節部２の前部を上記本体部１後部の連結用部９へ縦軸１０で着脱可能に軸支すると共に、後端部に釣針連結用部１１を形成し、
上記鉤状釣針３は、その基部を上記釣針連結用部１１に上下・左右へ可動に連結してなる、トローリング用の餌魚保持仕掛け。
【請求項２】
トローリング時に仕掛けが斜め下方へ進行するように、導糸連結部７を、湾曲状部４の前部の高さ方向の中心線ｘよりも少し上方位置に設けた、請求項１に記載のトローリング用の餌魚保持仕掛け。
【請求項３】
トローリング時に仕掛けが斜め下方へ進行するように、導糸連結部７を、その傾斜角度αが水平な面に対して約１０〜２０°の範囲内で斜め前上方へ向くように設けた、請求項１または２に記載のトローリング用の餌魚保持仕掛け。
【請求項４】
トローリング時に仕掛けが斜め下方へ進行するように、導糸連結部７の傾斜角度αの設定を可変に設けた、請求項１，２または３に記載のトローリング用の餌魚保持仕掛け。
【請求項５】
湾曲状部４の前面１２を、トローリング時の進行により受ける水流が餌魚５の頭部に当たらず後側方へ逃げ易いような横断面湾曲形状に形成した、請求項１，２，３または４に記載のトローリング用餌魚保持仕掛け。
【請求項６】
餌魚５の頭部を係合する湾曲部４と、頭部を串刺しする餌魚保持用くし８と、腹部近傍に突き刺す鉤状釣針３とを備えて、餌魚５をこれら三点で取付け・保持するようにした、請求項１，２，３，４または５に記載のトローリング用餌魚保持仕掛け。
【発明の詳細な説明】
【技術分野】
【０００１】
本発明は、トローリング（引き縄釣り・曳き縄釣り）で、引き縄（曳き縄）後部に餌となる魚等（以下、餌魚という）を取付け・保持するための餌魚保持仕掛けに関するものである。
【背景技術】
【０００２】
トローリングは一般に、引き縄の後端に設けた餌魚保持仕掛けに餌魚を取付け保持させて、船の航行で引き縄を曳きながら移動することにより、その餌魚に大きな魚達が食い付いて釣針に引っ掛かるのを釣り上げるというものである。
【０００３】
従来、トローリングでの餌魚保持する仕掛けの構造には、例えば次のようなものがあった。
１）釣針の前部に、餌魚を串し刺しにする串差し棒を有するだけのもの。
【特許文献１】特開昭６３−２２６２３５号公報
【特許文献２】アメリカ特許第２８７１６１１号公報
【０００４】
２）釣針の前部の棒状部または鉤状部に餌魚を串し刺しにし、餌魚の外周に紐、金属線を巻き付けて、あるいはリングをはめて取付け保持するもの。
【特許文献３】昭和１０年実用新案出願公告第１５６１号公報（但し、烏賊釣り用のもの）
【特許文献４】実開平３−７１７５７号公報
【特許文献５】実開平６−３３４６５号公報（但し、太刀魚釣り用のもの）
【特許文献６】実開平８−１６３９３９号公報（但し、太刀魚釣り用のもの）
【０００５】
３）釣針の後部に２枚貝状のキャップを有し、その内面に餌魚の頭部に突き刺さる突起を突設して、餌魚を取付け保持するようにしたもの。
【特許文献７】特開昭５９−１１３８３６公報
【特許文献８】実開昭５９−１１９１６１号報
【０００６】
４）釣針の後部に、餌魚の前半部を係合可能な空洞をもつ弾性材製の外殻を有し、空洞内へ餌魚を嵌め入れて取付け保持するもの。
【特許文献９】実開昭４８−２６５７６号報
【０００７】
５）掛け鉤針の前部に、「先端部に糸連結環を、また後端部には掛鉤をそれぞれ連結した取付け具本体の裏面側先端寄りに重錘を取付け、かつ取付け具本体の後端部より弾性素材よりなる針棒を先端斜め上方に向けて突設し、該針棒に対して略円錐状をなした生餌の頭部保護カバーを貫通状態に装着すると共に、取付け具本体の先端部に前記針棒の先端部をその弾力性に抗して取付け具本体方向に押圧した状態で係止するストッパーを突設し」たもの。
【特許文献１０】実公昭５４−１４１３号公報
【発明の開示】
【発明が解決しようとする課題】
【０００８】
ところが、上記従来のトローリングでの餌魚保持する仕掛けには、次のような問題点があった。
イ）上記１）のものは、餌魚の取付け作業は簡単であるが、トローリング中に一旦取付けた餌魚が脱落（餌落ち）や損傷（餌崩れ）が生じ易いし、また餌魚は棒状に串刺しされて海中で殆ど動かないため、生きた魚が泳いでいるように見えず、魚の食い付きが悪くて釣り上げ量が多くなかった。
【０００９】
ロ）上記２）のものは、餌魚の外周に紐・金属線を巻き付け、またはリングをはめているので、トローリング中も餌魚は容易に脱落しないが、取付け・保持の作業に手間がかかる。また餌魚は生きた魚のような動きをしないため、やはり魚の食い付きが悪かった。
【００１０】
ハ）上記３）のものは、餌魚の取付け・保持作業は容易・迅速に行えるし、キャップによってトローリング中の餌魚頭部の損傷は防止できるが、構造が複雑でコスト高になったり、頭部以外の部分が脱落・損傷してしまったり、また頭部をキャップで包むために本物の生きた魚のように見えなくなってしまった。
【００１１】
ニ）上記４）のものは、空洞をもつ弾性材製の外殻内に餌魚を嵌め入れて取付け・保持するので、餌魚の脱落・損傷は生じないが、餌魚の取付け・保持作業に手間がかかるし、その外殻内へ係合可能な大きさの餌魚しか取付け・保持できず、また外殻で覆ったために本物の生きた魚のようには到底見えないから、魚の食い付きが悪くて釣り上げ量は多くない。
【００１２】
ホ）上記５）のものは、餌魚の頭部保護カバーを用いることで、トローリング中の餌魚頭部の損傷は無くなるが、餌魚の取付け・保持作業に手間がかかるし、例えば魚群探知機での魚影や魚群に群がる海鳥の様子等で、魚の種類や大きさに応じて餌魚の大きさを代えたくても、仕掛け全体の長さが決まっているから、うまく取付けられるとは限らない。またこれも、頭部を保護カバーで包むために本物の生きた魚のようには見えず、やはり釣り上げ量を多くできなかった。
【００１３】
ヘ）さらに、上記いずれの仕掛けも、大きく重い錘りを付けておかないと、船の航行によるトローリング時に仕掛け・餌魚が潜行し難く、斜め上方へ浮き上がってしまった。例えば図１４で示したような仕掛けでは、トローリングによる前進で前方からの水圧を受けると、この仕掛けは図１５で示すように導糸連結部を支点として後部が上方へ、したがって前部が下方へ回転する方向の力が作用することになる。
【００１４】
そのため、この仕掛けは前進するにつれて浮き上がってしまい、船足を速くすると、仕掛け・餌魚が水面近くを飛び跳ねながら移動する状態になってしまい、釣るべき魚がいる水中深度で進行させることができなかった。それに、別個に設けた大きな錘りが邪魔になって、餌魚の取付け、魚の取り込みや取外し作業等を容易・迅速に行うことができない、等の問題点もあった。
【００１５】
本発明は、上記従来のトローリングでの餌魚保持する仕掛けが有する問題点の解消を課題として、開発したものである。
即ち、本発明の目的は、構造が比較的シンプルで、トラブルの発生が無いと共に十分な強度を有し、魚群探知機による魚影等に対応して、餌魚を大きさや種類の異なるものに素早く交換できると共に、別個に大きな錘りを付けなくても仕掛け・餌魚が潜行し易く、航行速度の調節で自由に水中深度を設定でき、またトローリング中に餌魚の脱落や損傷が無いし、餌魚が本物の生きた魚が泳いでいるように見えて魚の食い付きも良くなる、トローリング用餌魚保持仕掛けを提供することにある。
【課題を解決するための手段】
【００１６】
本発明に係るトローリング用餌魚保持仕掛けＡは、
前部の本体部１と、揺動兼長さ調節部２と、後部の鉤状釣針３とを備えたものであり、  上記本体部１は、錘りを兼ねた厚肉金属棒製とし、前部に餌魚５の頭部を内側へ係合可能な湾曲部４を設け、該湾曲部４前部で高さ方向の中心よりも少し上方位置に、斜め前上方へ向けて導糸連結部７を設け、また上部に餌魚５の頭部へ串刺し可能な餌魚保持用くし８を有するとともに、ほぼ直線状の後端部に長さ調節部２との連結用部９を設け、
上記揺動兼長さ調節部２は、餌魚５の大小に対応可能に前後方向へ長さの異なるものを複数本用意し、それらの選択的な使用と水平状の揺動を可能に、該調節部２の前部を上記本体部１後部の連結用部９へ縦軸１０で着脱可能に軸支すると共に、後端部に釣針連結用部１１を形成し、
上記鉤状釣針３は、その基部を上記釣針連結用部１１に上下・左右へ可動に連結してなるものである。
【発明の効果】
【００１７】
上記構成のトローリング用餌魚保持仕掛けＡは、次のような効果を発揮する。
イ）全体構造が、前部の本体部１と、交換可能な揺動兼長さ調節部２と、後部の鉤状釣針３とからなるもので、比較的シンプルなものである。そのため、トローリング用餌魚保持仕掛けとして十分な強度を有するものを、安価に製造することが可能となるし、トラブル発生の可能性が少ないものにできる。
【００１８】
ロ）本体部１は、それ自体が錘りを兼ねるように厚肉金属棒製としてある。そのため、従来のもののように別個に大きく重い錘りを設けたりする必要がなく、この面からもシンプルな構造にできるし、餌魚５の取付けや釣れた魚の取込み・取外し作業時に錘りが邪魔にならず、その作業を容易・迅速に行うことができる。
【００１９】
ハ）本体部１前部に形成した湾曲状部４は、内側へ餌魚５の頭部を係合可能な形状としてある。そのため、そこに頭部を係合させて取付け・保持した餌魚５は、トローリングによる前進時に湾曲状部４前面が、水切り部分となって水流を斜め後側方へ逃がせるから、餌魚５の頭部がカバーされることになる（例えば図１参照）。特に、該湾曲状部４の横断面形状を湾曲状（ここ湾曲状とは、水流を斜め後方へ逃がすことが可能な形状、例えば紡錘形や涙形をも含む）としてあれば（例えば図１１参照）、一層効果的である。
【００２０】
これで、餌魚５の弱い頭部は直接に水流・水圧の影響を受けることが小さくなり、餌魚５の損傷を防止することができるし、水流が斜め後側方へ逃げることで、餌魚５の頭部は常に進行方向への中心位置を維持できる。また導糸６を湾曲状部４の高さ方向の中心位置ではなく、少し上位置に連結させたことにより、トローリング時に湾曲状部４前面で水の抵抗を受けながらも、従来のものと異なり、仕掛け・餌魚が導糸６を中心に回転してしまうことが無く、かつほぼ水平状で安定することになって、餌魚５は生きた魚が泳いでいるかのように見える。
【００２１】
ニ）しかも上記の湾曲状部４は、従来の頭部カバーや外殻等と異なり、餌魚５の頭部の前部分を必要最小限でカバーしているだけであるから、餌魚５は眼の部分を初めとして全身がそのまま露出状態にある。そのため、餌魚５に食い付こうとする魚には、この餌魚５が本物の魚であることがよく判り、食い付きが良くなる。
【００２２】
ホ）上記湾曲状部４前部の導糸連結部７を、該湾曲状部４の中心位置ではなく、それよりも少し上位置で、かつ導糸６が斜め前上方へ向くように設けてある。船を航行させてトローリング時にこの仕掛けＡは、錘りを兼ねた本体部１が湾曲状部４の中心位置より少し上位置を、水平面に対して上方への傾斜角度αをもって前方へ引かれることになる（例えば図１，図１１，図１２参照）。
【００２３】
従来のものでは、仕掛けの前部中央位置または下部寄り位置の導糸連結部で縄・導糸と連結されているため、仕掛けの前部が少し持ち上がり気味になっている（例えば図１４参照）。その状態でトローリング時に前方からの水圧を受けると、その仕掛けにはその導糸連結部を支点として更に前部が持ち上がり、後部が沈む方向への力が作用することになる（例えば図１５参照）。そのため、重く大きな錘りを付けていないと、船足を上げた際に仕掛け・餌魚が水面へ浮上してしまった。
【００２４】
しかし本発明に係る仕掛けＡでは、上記の如く導糸連結部７を前部中心寄りも少し上位置に設け、かつ水平面に対して上方へ１０〜２０°の傾斜角度αを持って引き縄・導糸６と連結してあるから、従来のものと異なり、仕掛けＡの前部は持ち上げられていない（例えば上記図１，図１２参照）。この状態で、トローリングによる進行で前方から水圧を受けると、この仕掛けＡには導糸連結部７を支点として後部が押し上げられ、前部が沈む方向への力が作用することになり（例えば上記図１３参照）、本体部１自体の錘りによる下方への力もあって、この仕掛けＡは進行に伴って浮上することなく、徐々に潜行（潜水）していくことができる。
【００２５】
ヘ）上記の如く、この仕掛けＡには従来のような大きく重い錘りを別個に設けずとも、船の航行速度を速くすることで水中深度を比較的浅く維持できるし、またゆっくり進むことで深く維持することができることになり、船の航行速度の調節によって仕掛けを所望の水中深度で進行させることが容易となる（例えば図１０参照）。したがって、例えば魚群探知機の魚影や魚群に群がる海鳥の様子等に対応して、船足を調節することにより、この仕掛けの水中深度を魚の種類や魚のいる位置に合わせることができる。
【００２６】
ト）さらに、この仕掛けＡは船を停止状態にすれば海底またはその近傍に達するから、いわゆるシャクリ動作をすることで餌魚５は生きた魚が泳ぐように動くことになり、海底近くにいる大物を対象とした縦縄釣りをすることもできる。その場合に、この仕掛けＡは従来のこの種のものと異なり、比較的シンプルであるとともに、本体部１が前面・底面ともに曲面をもって形成され、かつ底部に凸凹が無く平坦状であることから、海底の岩等に引っ掛かる「根掛かり」が生じることも無く、縦縄釣りを楽しむことができる。
【００２７】
チ）湾曲状部４上部に、餌魚５の頭部を串刺し可能な餌魚保持用くし８を設けてある。そのため、この仕掛けＡへの餌魚５の取付け・保持は、上記の如く餌魚５の頭部を湾曲状部４内に係合させた状態で、該餌魚保持用くし８を頭部へ串刺し、かつ後部の鉤状釣針３を餌魚５の胴部に突き刺すだけでよい。従来のものと異なり、餌魚に糸・紐・リング等を巻き付けて取付ける必要がなくて、餌魚の取付け・保持作業を容易・迅速に行うことができる。
【００２８】
リ）また上記のようにこの仕掛けＡによる餌魚５の保持は、湾曲状部４内への頭部の係合と、保持用くし８による頭部の串刺しと、鉤状釣針による腹部の突き刺しという３箇所による取付け・保持であるから、餌魚５をしっかりと取付け・保持することができ、従来のように糸・紐・リング等を巻き付けたりせずとも、トローリング中に餌魚５が脱落してしまうようなことが無い。
【００２９】
ヌ）揺動兼長さ調節部２は、長さの異なるものを選択して使用可能に、本体部１の縦軸１０で着脱可能に軸支してある。そのため、例えば魚群探知機による魚影等により、それに応じた大きさの餌魚５を取付け可能な長さをもつ長さ調節部２に交換して、餌魚５を上記のように３箇所で確実に取付け・保持できることになり、トローリング中にその場での状況に素早く対応できて、釣り上げ量を増大できる。
【００３０】
ル）さらに、該長さ調節部２は、本体部１後部に縦軸１０により揺動可能に連結してある（例えば図４参照）。そのため、頭部を本体部１に取付け・保持された餌魚５は、前半身は安定状態にあるが、後半身は自由に揺動可能になっている。これで、トローリング時に進行する餌魚５は、あたかも生きた魚が泳いでいるかの如くしなやかな動きをすることになるから、この面でも魚の食い付きが良くなり、釣り上げ量を増大できる。
【発明を実施するための最良の形態】
【００３１】
上記構成のトローリング用餌魚保持仕掛けＡにおいて、本体部１は錘を兼ねた厚肉金属棒製であり、錆び難く強度が大きい金属例えばステンレス鋼を用いることが望ましい。その重さは例えば１４０〜１７０ｇ程度としておくのがよい。またその湾曲状部４の前面１２は、餌魚５の頭部へトローリングに伴う水流・水圧が直接に当たらないような形状、即ち、この部分が水切りとなって水流を後側方へ逃がすような形状、例えば横断面形状が湾曲状や紡錘形や涙形等の形状にしておくことが望ましい（例えば図３，図１１参照）。
【００３２】
また上記構成で、湾曲状部４前部の導糸連結部７が、湾曲状部４の高さ方向の中心よりも少し高い位置とは、発明者が何度も位置を変えて実験を繰り返した結果、一般的な釣り舟・漁船等で使用する仕掛けＡの場合には、例えば４ないし６ｍｍ程度の上方位置とすることが最適であることを見い出している。
【００３３】
同様に傾斜角度αについても、角度を変えて何度も実験を繰り返した結果、一般的な釣り舟・漁船等で使用する仕掛けＡであれば、水平な面に対して１３ないし１７°程度が望ましく、最小で１０°、最大で２０°の範囲内の角度で斜め前上方へ向けたものにするのがよいことが判った（例えば図１，図２，図１２参照。なお、図では湾曲状部４の高さ方向の中心線ｘが水平状になるように描いてある）。
【００３４】
餌魚保持用くし８は、湾曲状部４上部から餌魚５の頭部へ串刺し可能に設けておくのがよく、鉤状のものを回動させるようにすればよいが（例えば図１，図２参照）、それに限らず、例えばクギ状のものを突き刺して掛止するようにしてもよい。
【００３５】
上記長さ調節部２は、本体部１の後端に着脱可能でかつ揺動可能に、縦軸１０で軸支してある。この縦軸１０としてはボルトを用いることが望ましいが（例えば上記図２，図７参照）、それに限らず、例えば取外し可能な抜止め付き割りピンのようなものにしてもよい（例えば図８参照）。
【００３６】
さらに長さ調節部２は、餌魚５の形状・大きさ等に対応可能に長さの異なるものを複数本、例えば短いもの２ａと、長いもの２ｃと、中間長さのもの２ｂの如く３種類、または短いものと長いものとの２種類程度を用意して、そのいずれかを選択的に用いられるようにしておくのがよい（例えば図１，図２，図５参照）。しかしそれに限らず、例えば１本物をスライド式に長さ可変とすることも可能である。
【００３７】
鉤状釣針３は、餌魚５に食い付いた魚が引っ掛かるものであるが、上記長さ調節部２後端を例えばリング状の釣針連結用部１１を形成して、そこに上下・左右へ可動に連結し、また釣り上げる魚の種類・大きさ等に応じて交換可能としておくのがよい。
【実施例１】
【００３８】
図１ないし図１３は、本発明に係るトローリング用餌魚保持仕掛けＡの実施例に関するものであり、全体構成は上記のように前部の本体部１と、揺動兼長さ調節部２と、後部の鉤状釣針３とを備えたものである。
【００３９】
上記本体部１は、錘りを兼ねた厚肉金属棒製であり、錆びないことと加工が比較的容易であることから、ここでは１８−１０ステンレス鋼材を用いて製作している。該本体部１の前部には、内側に餌魚５の頭部を係合可能とするため、ここでは内側半径が約１５ｍｍの大きさで上方へ湾曲状部４を形成してあり、前後方向への全長が約６５ｍｍ、重さはここでは約１５０ｇである。
【００４０】
また該本体部１は、強度とトローリング時の水圧を考えて、正面から見て横幅が上部寄りほど狭くて下部寄りほど大きい下膨れ形状にするとともに、下側面は抵抗を少なくするために、縦断面形状をほほ湾曲状に形成してある（図６参照）。
【００４１】
該本体部１前部の湾曲状部４には、高さ方向の中心線ｘよりも少し上方位置、ここでは約５ｍｍの上方の位置に、水平面に対して斜め前上方へここでは約１５°の傾斜角度αで孔１３を形成して、そこに導糸６の後端の例えばサルカン１４と連結するリング部をもつ導糸連結部７を設けてある。なお上記の如く、図では湾曲状部４の高さ方向の中心線ｘが水平状になるように描いてある。
【００４２】
また該湾曲状部４の上部には、縦孔１５を形成して、鉤状のくし８が上下方向へ可回動にその基部を係合させてあり、湾曲状部４内へ係合させた餌魚５の頭部を上方から串刺し可能としてある（図２参照）。湾曲状部４の前面１２は、トローリングで進行時の水流・水圧が餌魚５の頭部に直接当たらず側方へ逃げるように、ここでは横断面形状を紡錘状に形成してある（図３，図１１参照）。
【００４３】
本体部１の直線状の後端には、揺動兼長さ調節部２との連結用部９として、ここでは二股状部１６を設け、その下段部分に通孔１７を形成すると共に、上段部分に雌ネジ孔１８を形成して、下段部分の通孔１７から縦軸としてここではボルト１０を上段部分の雌ネジ孔１８に螺装可能としてある（図２，図７参照）。
【００４４】
揺動兼長さ調節部２は、ステンレス鋼製とし、前後方向に長さの異なるものを、ここでは短・中・長の３本を用意してある。短いもの２ａは長さを７０ｍｍ、中間のもの２ｂは長さを１１５ｍｍ、長いもの２ｃは長さを１４０ｍｍとしてある。また該各長さ調節部２は、前部に偏平状部１９を形成して、ボルト１０が通挿可能な丸孔２０を形成してある。      
【００４５】
上記本体部１と長さ調節部２の連結は、図２や図７で示したように、前者１の二股状部１６の間に後者２の偏平状部１９を挟んで、ボルト１０を下段部分の通孔１７から偏平部状部１９の丸孔２０を介して、上段部分の雌ネジ孔１８に螺装することで、長さ調節部２を着脱可能でかつ揺動可能としてある。ここでのボルト１０には緩止め付きのものを用いるが、それに限らず、上段部分に雌ネジ孔ではなく通孔を形成して、下方からボルト１０を通挿してその上端部分にナットを螺装するようにしてもよい（図示略）。
【００４６】
各長さ調節部２の後端部には、ここではリング状の釣針連結用部１１を形成してあり、鉤状釣針３を上下・左右へ可回動に連結してある。図示は省略したが、ここでの連結に連結用リングを介在させてもよいことは勿論である。
【００４７】
次に、この実施例のトローリング用餌魚保持仕掛けＡの製造および使用状態を、上記と重複する部分もあるが説明する。
まず製造は、本体部１と長さ調節部２を、ステンレス鋼製で厚肉の棒状材を鍛造またはプレス加工と穴あけ加工等をするだけでよい。後は、両者１，２を縦軸としてのボルト１０で連結して、本体部１の湾曲状部４前部に導糸連結部７を装入すると共に、上部の縦孔１５に餌魚保持用くし８を可回動に掛止させ、長さ調節部２後端には鉤状釣針３を連結すればよい。
これで、シンプルな構造で、製造が容易であると共にトラブル発生も殆ど無く、かつ十分な強度を有する仕掛けが安価に提供できる。
【００４８】
この実施例の仕掛けＡを使用する場合に、餌魚５の取付け・保持は図２で示すように、本体部１前部の湾曲状部４の餌魚保持用くし８を持ち上げた状態で、湾曲状部４内側に餌魚５の頭部を係合させて、上記くし８を下方へ回動させて餌魚５頭部へ突き刺すと共に、後端の鉤状釣針３を餌魚５の胴部へ突き刺せばよい。このように、餌魚５は３カ所で取付け・保持されるので、従来のものと異なり糸・紐・リング等を巻き付けて取付ける必要も無く、餌魚５の取付け・保持作業を容易・迅速に行える。
【００４９】
この仕掛けＡを用いてトローリング中には、湾曲状部４前部の導糸連結部７が、高さ方向の中心位置よりも約５ｍｍ上方で、かつ斜め前上方へ約１５°で設けてあるから、進行に伴う水圧を受けても、前部は浮き上がらずに沈む方向への力が作用することになり（図１２，図１３参照）、かつ船の航行速度を変えることで、この餌魚保持仕掛け・餌魚５の水中深度を浅くにも深くにも調節できる。
【００５０】
縄の長さや釣場での水流等の条件にもよるが、概して言えば、例えば船の航行速度を５〜１０Ｋｍ／ｈ程度にすれば、この餌魚保持仕掛け・餌魚５は図１０の二点鎖線で示したように水中深度を３〜５ｍ程度に、また航行速度を１０〜１５Ｋｍ／ｈ程度にすれば、同図の実線で示した如く水中深度を６〜１０ｍ程度にできる。さらに航行速度を１Ｋｍ／ｈ未満にすれば、同図の点線で示したように水中深度を８０〜１２０ｍ程度にできて底釣りが可能となる。これで、魚群探知機の魚影や魚群に群がる海鳥の様子等を見ながら、その場の状況に対応した水中深度にこの餌魚保持仕掛け・餌魚５を送り込んで、トローリングを行える。
【００５１】
同時に、上記のように導糸連結部７を、湾曲状部４の高さ方向の中心よりも約５ｍｍ上方位置で、かつ斜め前上方へ約１５°で設けたことで、従来の導糸連結部を前部中央または下部に水平状に設けたものと異なり、この仕掛けＡは導糸を中心に回転するようなことが無く水平状に安定しており、また本体部１の湾曲状部４前面の横断面形状を紡錘形としたことで、餌魚５の頭部が常に進行方向の中心位置を維持できる。そのため、あたかも生きた餌魚５が安定的に水平状に泳いでいるかのような状態が得られ、魚の食い付きを良くすることができる。
【００５２】
本体部１自体が厚肉棒状のステンレス鋼製で錘りを兼ねているから、従来のもののように別個に大きな錘りを取付ける必要が無くなるし、餌魚５の取付けや釣れた魚の取込み・取外し作業で錘りが邪魔にならず、それらの作業を容易・迅速に行える。
【００５３】
そして、魚群探知機による魚影等を見て、魚の種類や大きさに相応しい大きさの餌魚５に代える必要がある場合は、ボルト１０を外せば長さ調節部２を交換できるから、適当な長さのものに交換すればよい。これで、餌魚５の大きさや種類を変えてもしっかりと取付け・保持できることになり、釣り場の状況に素早く対応した釣りができる。
【００５４】
しかもトローリング時に、揺動可能な長さ調節部２によって餌魚５の後半身は自由に揺動するから、餌魚５はあたかも生きた魚が泳いでいる如きしなやかな動きをすることになり、この面からも魚の食い付きが良いものになっている。
【００５５】
上記実施例で示した材質、寸法、重さ等は例示であって、それに限るものではない。また上記の導糸連結部７の傾斜角度αは固定しているが、一定範囲で角度を可変とするために、例えば図９で示す如く、湾曲部４に形成する導糸連結部７を通す孔１３を縦方向へ扇状として、該導糸連結部７を所望の角度に傾けた状態で、孔１３に詰め物２１を充填させて固定するようにしてもよい。
【００５６】
なお、縦軸にボルト１０を用いる場合は、図示は省略するが、その頭部や端部が突出しせず、また雌ネジ孔の深さを大きくするために、上段部分または下段部分の厚みを厚めにしておくのが良い。雌ネジ孔１８を設ける代わりに別体のナットを用いてもよいし、縦軸１０としてのボルトの代わりに、例えば図８で示すような抜止め付き割りピンを用いてもよいことは上記の通りである。
【図面の簡単な説明】
【００５７】
【図１】本発明に係るトローリング用餌魚保持仕掛けの実施例の使用状態を示す側面図である。
【図２】本発明に係るトローリング用餌魚保持仕掛けの実施例を示す一部切欠き側面図である。
【図３】本発明に係るトローリング用餌魚保持仕掛けの実施例を示す平面図である。
【図４】図３で示したものにおいて揺動兼長さ調節部が揺動可能な状態を示す平面図である。
【図５】本発明に係るトローリング用餌魚保持仕掛けの実施例で用いる揺動兼長さ調節部の長いものを示す平面図である。
【図６】本発明に係るトローリング用餌魚保持仕掛けの実施例の本体部を示す正面図である。
【図７】図２で示したものにおける連結用部の拡大断面図である。
【図８】連結用部に抜止め付き割りピンを用いた場合の実施例を示す拡大断面図である。
【図９】導糸連結部の傾斜角度を可変とする場合の実施例を示す一部切欠き側面図である。
【図１０】本発明に係るトローリング用餌魚保持仕掛けの実施例を用いてトローリング時の状態を示す概略側面図である。
【図１１】本発明に係るトローリング用餌魚保持仕掛けの実施例で、本体部の湾曲部前面の形状により水流が後側方へ逃げる状態を示す平面図である。
【図１２】本発明に係るトローリング用餌魚保持仕掛けの実施例を用いてトローリング時に、仕掛けが潜行する状態を示す側面図である。
【図１３】図１２で示したものについて、トローリング時に仕掛けに沈む方向への力が作用することを示す原理図である。
【図１４】従来の仕掛けを用いてトローリング時に、仕掛け・餌魚が浮き上がる状態を示す側面図である。
【図１５】図１４で示したものについて、トローリング時に仕掛けに浮上がる方向への力が作用することを示す原理図である。
【符号の説明】
【００５８】
Ａ−仕掛け
１−本体部
２−揺動兼長さ調節部
２ａ−短いもの
２ｂ−中間長さのもの
２ｃ−長いもの
３−釣針
４−湾曲部
５−餌魚
６−導糸
７−導糸連結部
８−餌魚保持用くし
９−連結用部
１０−縦軸
１１−釣針連結用部
１２−前面
１３−孔
１４−サルカン
１５−縦孔
１６−二股状部
１７−通孔
１８−雌ネジ孔
１９−偏平状部
２０−丸孔
２１−詰め物
ｘ−中心線
α−傾斜角度
【図１】
2007000084.tif 000003
【図２】
2007000084.tif 000004
【図３】
2007000084.tif 000005
【図４】
2007000084.tif 000006
【図５】
2007000084.tif 000007
【図６】
2007000084.tif 000008
【図７】
2007000084.tif 000009
【図８】
2007000084.tif 000010
【図９】
2007000084.tif 000011
【図１０】
2007000084.tif 000012
【図１１】
2007000084.tif 000013
【図１２】
2007000084.tif 000014
【図１３】
2007000084.tif 000015
【図１４】
2007000084.tif 000016
【図１５】
2007000084.tif 000017
【手続補正書】
【提出日】平成17年8月19日(2005.8.19)
【手続補正１】
【補正対象書類名】明細書
【補正対象項目名】０００４
【補正方法】変更
【補正の内容】
【０００４】
２）釣針の前部の棒状部または鉤状部に餌魚を串し刺しにし、餌魚の外周に紐、金属線を巻き付けて、あるいはリングをはめて取付け保持するもの。
【特許文献３】昭和１０年実用新案出願公告第１５６１号公報（但し、烏賊釣り用のもの）
【特許文献４】実開平３−７１７５７号公報
【特許文献５】実開平６−３３４６５号公報（但し、太刀魚釣り用のもの）
【特許文献６】特開平８−１６３９３９号公報（但し、太刀魚釣り用のもの）
【手続補正２】
【補正対象書類名】明細書
【補正対象項目名】０００６
【補正方法】変更
【補正の内容】
【０００６】
４）釣針の後部に、餌魚の前半部を係合可能な空洞をもつ弾性材製の外殻を有し、空洞内へ餌魚を嵌め入れて取付け保持するもの。
【特許文献９】特開昭４８−２６５７６号報
【手続補正３】
【補正対象書類名】明細書
【補正対象項目名】００２２
【補正方法】変更
【補正の内容】
【００２２】
ホ）上記湾曲状部４前部の導糸連結部７を、該湾曲状部４の中心位置ではなく、それよりも少し上位置で、かつ導糸６が斜め前上方へ向くように設けてある（例えば図１，図９参照）。これにより、船を航行させてトローリング時にこの仕掛けＡは、錘りを兼ねた本体部１が湾曲状部４の中心位置より少し上位置を、水平面に対して上方への傾斜角度αをもって前方へ引かれることになる（例えば図１２参照）。
【手続補正４】
【補正対象書類名】明細書
【補正対象項目名】００２４
【補正方法】変更
【補正の内容】
【００２４】
しかし本発明に係る仕掛けＡでは、上記の如く導糸連結部７を前部中心寄りも少し上位置に設け、かつ水平面に対して上方へ１０〜２０°の傾斜角度αをもって引き縄・導糸６と連結してある。そのため、従来のものと異なり、仕掛けＡの前部は持ち上げられていない（例えば上記図１２参照）。この状態で、トローリングによる進行で前方から水圧を受けると、この仕掛けＡには導糸連結部７を支点として後部が押し上げられ、前部が沈む方向への力が作用することになり（例えば上記図１３参照）、本体部１自体の錘りによる下方への力もあって、この仕掛けＡは進行に伴って浮上することなく、徐々に潜行（潜水）していくことができる。